(57)【要約】【課題】  プール底面の異物の除去と清掃を配慮するとともに、プール底面の表示や図柄や絵模様を変更して、競泳用から子供用まで利用目的に応じて、機能性やレジャー性を向上させたプール底面構造を提供する。【解決手段】  プール１の底壁３の底面全体を覆うようにシート体５を設け、プール側壁２からデッキ床下４に至る位置に、ローラー６、巻取機７、及び回転機８などからなる移動機構を設け、上記シート体５をプール底面に沿って移動させ新規シート面で覆うことにより、シート体５上面に介在する異物を除去するとともに、シート体５上面に形成した表示や図柄や絵模様９を変更するように形成したことを特徴とする。【選択図】  図１
2015086571.tif 000002
【特許請求の範囲】
【請求項１】
プール底壁の底面全体を覆うようにシート体を設け、プール側壁からデッキ床下に至る位置に、ローラー、巻取機、及び回転機などからなる移動機構を設け、上記シート体をプール底面に沿って移動させ新規シート面で覆うことにより、シート体上面に介在する異物を除去するとともに、シート体上面に形成した表示や図柄や絵模様を変更するように形成したことを特徴とするプール底面構造。
【請求項２】
上記シート体を長尺の繊維織物で形成し、上記表示や図柄や絵模様をこのシート体に織込んで形成したことを特徴とする請求項１記載のプール底面構造。
【発明の詳細な説明】
【技術分野】
【０００１】
この発明は、プールの底面をシートで覆って異物の残存防止を図るとともに、シートの表示や図柄や絵模様を変化させることによって機能性や美観を向上させるようにしたプール底面構造に関するものである。
【背景技術】
【０００２】
水泳用プールには屋外設置や室内設置のタイプがあり、底面の汚れや塵芥などに対しては手作業や掃除機などによって清掃が行われ、安全性や美観が確保されている。
【０００３】
特許文献１の特開平０９−３１７２２４号公報「水泳プール」の発明には、プール底面に緩衝材が敷設され、この緩衝材の上にタイル調シートが貼付された構成が開示されている。
【０００４】
特許文献２の実公平０４−１５８８７号公報「レジャープール用シート」は、本出願人に係る考案であって、布地状若しくは薄板状のシートに模様や図柄を形成し、レジャープールの側壁や底面に密着固定した構成が開示されている。
【０００５】
特許文献３の特願２０１３−２０１４５３号「底面清掃機能付きプール」は、本出願人／発明者による発明であって、プールの底壁の底面全体を覆うシート体を移動させてシート体の上面に介在するガラス片などの異物を捕集する構成としたものである。
【先行技術文献】
【特許文献】
【０００６】
【特許文献１】特開平０９−３１７２２４号公報
【特許文献２】実公平０４−１５８８７号公報
【特許文献３】特願２０１３−２０１４５３号
【発明の概要】
【発明が解決しようとする課題】
【０００７】
屋外設置や室内設置の水泳用プールに、固形の異物やガラス片などが入り発見が遅れたり見逃されたりした場合や、清掃が不十分な場合には遊泳者の手足に怪我などの危害を及ぼすことがあった。
また、プールの需要に応じて、コースレーンを変更したり、競泳用から子供用やレジャー用へと利用目的を変更したりして、機能性やレジャー性を高めることも望まれていた。
【０００８】
特許文献１の「水泳プール」の発明は、プール底面に緩衝材とその上にタイル調シートが貼付され、衝撃吸収と衝撃緩和、滑り防止が図られているが、プール底面の異物除去や清掃及び表示や図柄や絵模様の変更を行うものではない。
【０００９】
特許文献２の本出願人に係る「レジャープール用シート」の考案は、布地状若しくは薄板状のシートに模様や図柄を形成し美観に優れたものであるが、プール底面の異物除去や清掃及び底面全体の表示や図柄や絵模様の変更を配慮したものではない。
【００１０】
特許文献３の本出願人による「底面清掃機能付きプール」の発明は、プール底面のシート体を移動させてシート体の上面の異物を捕集するものであるが、シート体への表示や図柄や絵模様の変更に着目したものではない。
【００１１】
この発明は、上述のような従来技術が有する問題点に鑑みてなされたもので、目的とするところは、プール底面の異物の除去と清掃を配慮するとともに、プール底面の表示や図柄や絵模様を変更して、競泳用から子供用まで利用目的に応じて、機能性やレジャー性を向上させたプール底面を提供することにある。
【課題を解決するための手段】
【００１２】
請求項１の発明に係るプール底面構造は、プール底壁の底面全体を覆うようにシート体を設け、プール側壁からデッキ床下に至る位置に、ローラー、巻取機、及び回転機などからなる移動機構を設け、上記シート体をプール底面に沿って移動させ新規シート面で覆うことにより、シート体上面に介在する異物を除去するとともに、シート体上面に形成した表示や図柄や絵模様を変更するように形成したことを特徴とする。
【００１３】
請求項２の発明に係るプール底面構造は、上記シート体を長尺の繊維織物で形成し、上記表示や図柄や絵模様をこのシート体に織込み、描記、印刷などで形成したことを特徴とする。
【発明の効果】
【００１４】
請求項１の発明に係るプール底面構造は、プール底壁の底面全体を覆うようにシート体を設け、プール側壁からデッキ床下に至る位置に、ローラー、巻取機、及び回転機などからなる移動機構を設け、上記シート体をプール底面に沿って移動させ新規シート面で覆うことにより、シート体上面に介在する異物を除去するとともに、シート体上面に形成した表示や図柄や絵模様を変更するように形成したので、
プール内の異物をシート体の移動により一括して確実に除去することができるとともに、使用目的に応じたコースラインや区域の表示を変更することにより機能性を高めることができ、また美観や遊戯性を配慮した絵模様を変更することによりレジャー性を向上することができる。
【００１５】
請求項２の発明に係るプール底面構造は、上記シート体を長尺の繊維織物で形成し、上記表示や図柄や絵模様をこのシート体に織込み、描記、印刷などで形成したので、
変色や退色することなく耐久性を保持することができ、用途に対応してロール巻き繊維織物のシート体を適宜差し替えて使用することができる。
【図面の簡単な説明】
【００１６】
【図１】本発明に係るプール底面構造の第１の実施形態例を示す正面説明図である。
【図２】図１のＡ部を拡大して示す斜視説明図である。
【図３】本発明に係るプール底面構造の第２の実施形態例を示す正面説明図である。
【図４】シート体の第一の実施形態例を示す平面図である。
【図５】シート体の第二の実施形態例を示す平面図である。
【図６】シート体の第三の実施形態例を示す平面図である。
【発明を実施するための形態】
【００１７】
本発明に係る底面清掃機能付きプールの実施形態例について図１から図６に基づいて説明する。本発明は下記の実施形態にのみ限定されるものではない。本発明の要旨を逸脱しない範囲で下記の実施形態に変更（例えば構成要素の省略または付加、構成要素の形状の変更等）を加えることが出来るのはもちろんである。なお、図は概略を示すもので、一部のみを描き詳細構造は省略した。
【００１８】
図１は、本発明に係るプール底面構造の第１の実施形態例で、１は水泳用のプール、２はプールの側壁、３は底壁である。
４はプール側壁２の外側に位置するデッキ床下トレンチで、このデッキ床下トレンチ４内部にローラー６と巻取機７と回転機８を収容する。
５はシート体で、床壁３の上面全体を覆って展設し、ローラー６と巻取機７と回転機８で巻取移動するように形成する。
このシート体５の上面には、競技や練習用のコースラインや区分けの表示、美的な図柄、絵模様（Ａ，ａ／Ｂ，ｂなど）を描記や印刷、或いは織込などで形成しておく。
【００１９】
デッキ床下トレンチ４内のローラー６と巻取機７と回転機８を稼動させ、シート体５をプール底壁３の上面に沿って移動させることにより、プール内の異物を一括して確実に捕集して除去することができるとともに、シート体５上面に形成した表示や図柄や絵模様（Ａ，ａ／Ｂ，ｂなど）を変更することができる。
また、塗膜が剥離しやすいステンレスプールの場合には、シート体５によって底部塗装を省略できるためメンテナンスを軽減することも可能となる。さらに、シート体５上面の掃除も異物除去に合わせてできるため作業性よく実施できる。
【００２０】
図２は図１のＡ部を拡大して示す。
シート体５は、底面の全体を覆ってローラー６と巻取機７と回転機８によって摩擦抵抗が小さく滑らかに巻取りによって移動するように展設する。
このシート体５は、異物を付着させ捕集しやすいように例えばメッシュ構造体に形成し、コースラインや区分けの表示や図柄や絵模様９を描記や印刷、或いは織込などで形成する。
捕集装置１０はスクレーパーや吸引機などからなり、シート体５に付着している異物を捕集し除去するように形成する。
【００２１】
図３は、本発明に係るプール底面構造の第２の実施形態例で、１は水泳用のプール、２はプールの側壁、３はプールの底壁、４はプール側壁２の外側に位置するデッキ床下のトレンチ、５はシート体を示す。このデッキ床下トレンチ４の内部にローラー６と巻取機７と回転機８を収容する。
１３は床板で底壁３の上方に間隔をおいて設置し、シート体５はこの床板１３の上面から下面の全体を覆って展設し、ローラー６と巻取機７と回転機８で回転移動するように形成する。
このシート体５の上面には、競技や練習用のコースラインや区分けの表示、美的な図柄や絵模様を描記や印刷、或いは織込によって形成しておく（Ａ，ａ）、（Ｂ，ｂ）。
トレンチ４内のローラー６と巻取機７と回転機８を稼動させ、シート体５を床板１３に沿って回転移動させることによって、プール内の異物を捕集し除去するとともに、シート体５（Ａ，ａ）、５（Ｂ，ｂ）の表示や図柄等を変更する。
【００２２】
図４は、シート体５の第一の事例を示す平面図である。
シート体５は、境界線５０によって５Ａ区域と５Ｂ区域とに分けた場合を示す。
このシート体５への表示９は、例えば５Ａ区域にはコース数を８とした競技に使用するコースライン９Ａを表示し、また５Ｂ区域にはコース数を６とした競技に使用するコースライン９Ｂを表示して、プールの使用目的に応じて底面の表示９全体を変更するように形成する。
このように、競技の内容に応じて、コースライン９Ａ、９Ｂの数（レーン数４、６、８など）、底面の表示９を変更することによってプールの機能性を高めることができる。
【００２３】
図５は、シート体５の第二の事例を示す平面図である。
シート体５は、境界線５１によって５Ｂ区域と５Ｃ区域とに分けた場合を示す。
このシート体５への表示９は、例えば５Ｂ区域には競技に使用するコースライン９Ｂを表示し、また５Ｃ区域には訓練や遊戯に使用する区分けライン９Ｃなどを表示して、プールの使用目的に応じて底面の表示９全体を変更するように形成する。
このように、使用目的に応じて、コースライン９Ｂや遊戯での区分けライン９Ｃなど、底面の表示９を変更することにより、プールの機能性を高めることができる。
【００２４】
図６は、シート体５の第三の事例を示す平面図である。
シート体５は、境界線５２によって５ａ区域と５ｂ区域とに分けた場合を示す。
このシート体５への図柄や絵模様９は、例えば５ａ区域に遊戯性を高めるアニメーション画９ａ、５ｂ区域に娯楽性を高める風景などの絵画９ｂなどを描いて、プールの遊戯性や娯楽性の向上を目的として底面の図柄や絵模様９を変更するように形成する。
このように、遊戯性や娯楽性を配慮した底面の絵模様９（９ａ、９ｂ）を変更することにより、プールの美観やレジャー性を向上することができる。
【００２５】
シート体５は、例えば長尺ロール巻きの繊維織物を使用し、表示や図柄や絵模様９を織込み、描記、印刷などで形成する。
殊に、表示や図柄や絵模様９を繊維織物のシート体５に織り込んで形成した場合は、ペイントなどで表面に描記や印刷したものと比べて、変色や退色が少なく長期間の耐久性を有する。
また、異なる表示や図柄や絵模様９のロール巻き繊維織物のシート体を複数準備しておいて、使用目的に応じて適宜差し替えて使用することも可能となる。
【産業上の利用可能性】
【００２６】
上記プール底面構造は、水泳用のプールの他に、水遊び用の池や展示用の水槽などにも適用することができる。また、塗膜が剥離しやすいステンレスプールの場合には、底部塗装を省略できるためメンテナンスを軽減することも可能となる。
【符号の説明】
【００２７】
１プール    
２側壁    
３底壁    
４デッキ床下トレンチ    
５シート体    
６ローラー    
７巻取機    
８回転機    
９表示や図柄や絵模様    
１０捕集装置    
【図１】
2015086571.tif 000003
【図２】
2015086571.tif 000004
【図３】
2015086571.tif 000005
【図４】
2015086571.tif 000006
【図５】
2015086571.tif 000007
【図６】
2015086571.tif 000008